(57)【要約】      （修正有）【課題】少ないセンサによって空気調和装置の能力を計測する。【解決手段】空調能力提示システム１０は、室外ユニット４０と、室内ユニット２１〜２４と、室外ユニット４０及び室内ユニット２１〜２４を連絡する冷媒連絡配管３１、３２と、を含む空気調和装置２０の能力を提示する。空調能力提示システム１０は、第１取得部と、計測部と、第２取得部と、能力算出部と、を備える。第１取得部は、室外ユニット４０の定格能力である又は定格能力に関連する情報である室外ユニット能力情報を取得する。計測部は、室外ユニット４０の消費電力を計測する。第２取得部は、室外ユニット４０の周囲の空気の温度である外気温を取得する。能力算出部は、室外ユニット能力情報、消費電力、及び外気温に基づいて空気調和装置２０の能力の算出値を得る。【選択図】図１
2020165649.tif 000002
【特許請求の範囲】
【請求項１】
少なくとも１台の室外ユニット（４０）と、少なくとも１台の室内ユニット（２１〜２４）と、前記室外ユニット及び前記室内ユニットを連絡する冷媒連絡配管（３１、３２）と、を含む空気調和装置の能力を提示する、空調能力提示システムであって、
前記室外ユニットの定格能力である又は前記定格能力に関連する情報である室外ユニット能力情報を取得する第１取得部（６３、７１）と、
前記室外ユニットの消費電力を計測する計測部（６１、７２）と、
前記室外ユニットの周囲の空気の温度である外気温を取得する第２取得部（６２、７３）と、
前記室外ユニット能力情報、前記消費電力、及び前記外気温に基づいて前記空気調和装置の前記能力の算出値を得る能力算出部（７４）と、
を備える、空調能力提示システム。
【請求項２】
前記能力算出部は、複数の能力算出モデル（Ｍ１〜Ｍ８）を含み、
前記能力算出部は、前記室外ユニット能力情報に基づいて、前記複数の能力算出モデルのうちから１つの能力算出モデルを選択する、
請求項１に記載の空調能力提示システム。
【請求項３】
前記能力算出モデルの各々は、前記空気調和装置の性能を表す空調機性能パラメータ（７４２）を有し、
前記能力算出モデルの各々は、前記消費電力、前記外気温、及び前記空調機性能パラメータに基づいて、冷凍サイクル（７４６）の凝縮圧力（Ｐｃ）またはそれに相当する相当温度、または、蒸発圧力（Ｐｅ）またはそれに相当する相当温度、を導出するとともに、導出した前記凝縮圧力（Ｐｃ）またはそれに相当する相当温度、または、前記蒸発圧力（Ｐｅ）またはそれに相当する相当温度、に基づいて前記算出値を算出するように構成されており、
前記冷凍サイクルにおける前記冷媒の蒸発圧力（Ｐｅ）またはそれに相当する相当温度、凝縮圧力（Ｐｃ）またはそれに相当する相当温度の少なくとも１つが定数として決定される、
請求項２に記載の空調能力提示システム。
【請求項４】
前記能力算出モデルの各々は、
前記消費電力（Ｐ）及び前記能力（Ｃ）の関係を表現する特性式（７５１、７６１）
を有する、
請求項２に記載の空調能力提示システム。
【請求項５】
前記複数の能力算出モデルは、複数の冷房用能力算出モデル（Ｍ１〜Ｍ４）及び複数の暖房用能力算出モデル（Ｍ５〜Ｍ８）を含む、
請求項２〜４のいずれか１項に記載の空調能力提示システム。
【請求項６】
前記算出値を補正することによって補正算出値を得る補正部（７５）、
をさらに備える、
請求項１〜５のいずれか１項に記載の空調能力提示システム。
【請求項７】
前記補正部は、前記冷媒連絡配管における冷媒の圧力損失に関連する情報、に基づいて前記算出値を補正する、
請求項６に記載の空調能力提示システム。
【請求項８】
前記室外ユニットは室外ファン（４３）を含み、
前記補正部は、前記室外ファンの定格出力に関連する情報、に基づいて前記算出値を補正する、
請求項６又は請求項７に記載の空調能力提示システム。
【請求項９】
前記第２取得部は、前記室外ユニットの周囲の前記空気の湿度である外気湿度、をさらに取得し、
前記能力算出部は、前記室外ユニット能力情報、前記消費電力、前記外気温、及び前記外気湿度に基づいて前記空気調和装置の前記能力の前記算出値を得る、
請求項１〜８のいずれか１項に記載の空調能力提示システム。
【請求項１０】
前記第２取得部は、熱交換後に前記室外ユニットから排出される吹出空気に関する計測を行わない、
請求項１〜９のいずれか１項に記載の空調能力提示システム。
【請求項１１】
所定期間における前記算出値又は前記補正算出値の最大値に基づいて、前記室外ユニット及び前記室内ユニットの少なくとも一部に取って代わるべき新規導入ユニットの提案を作成する、提案作成部（７６）、
をさらに備える、
請求項６に記載の空調能力提示システム。
【請求項１２】
前記空気調和装置は、複数の系統（２０Ａ、２０Ｂ、２０Ｃ）を含み、
前記複数の系統の各々は、少なくとも１台の室外ユニット（４０Ａ、４０Ｂ、４０Ｃ）を含み、
前記計測部は、前記複数の系統の各々について前記消費電力を計測する、
請求項１１に記載の空調能力提示システム。
【請求項１３】
操作端末（６３）、
をさらに備え、
前記計測部は、前記複数の系統の各々について前記消費電力を計測する複数の電力センサ（６１Ａ、６１Ｂ、６１Ｃ）を有し、
前記操作端末は、前記電力センサの識別情報を表示し、
前記操作端末は、前記識別情報と前記系統との関連付けについての入力を受け取る、
請求項１２に記載の空調能力提示システム。
【請求項１４】
前記提案作成部は、前記複数の系統の各々について、前記室外ユニット及び前記室内ユニットの少なくとも一部に取って代わるべき前記新規導入ユニットの提案を作成する、
請求項１２又は請求項１３に記載の空調能力提示システム。
【請求項１５】
少なくとも１台の室外ユニット（４０）と、少なくとも１台の室内ユニット（２１〜２４）と、を有する空気調和装置の能力を測定する方法であって、
前記室外ユニットの定格能力である又は前記定格能力に関連する情報である室外ユニット能力情報を、第１取得部（６３、７１）が得て、
前記室外ユニットの消費電力を、計測部（６１、７２）が計測し、
前記室外ユニットの周囲の空気の温度である外気温を、第２取得部（６２、７３）が取得し、
前記室外ユニット能力情報、前記消費電力、及び前記外気温に基づいて、能力算出部（７４）が、前記空気調和装置の前記能力の算出値を出力する、
方法。
【発明の詳細な説明】
【技術分野】
【０００１】
空気調和装置の能力を提示する、空調能力提示システム。
【背景技術】
【０００２】
特許文献１（特開２０１０−０３８４８７号公報）に開示されている空調能力計測システムは、空気調和装置の能力を計測する。この空調能力計測システムは、室外ユニットの吸込み空気の状態を計測する第１の温湿度計、室外ユニットの吹出し空気の状態を計測する第２の温湿度計、室外ユニットのファンの回転数を計測する回転センサ、室外ユニットの消費電力を計測する第１の電力計、室内ユニットに供給される電力を測定する第２の電力計を有する。
【発明の概要】
【発明が解決しようとする課題】
【０００３】
ユーザによって使用される空気調和装置に、空気調和装置の能力を計測するための数多くのセンサを設置することは、ユーザに不便を強いる。すなわち、能力を計測する作業員が要する労力が大きくなる。さらに、能力を計測するためのシステムが多くのセンサを有するので、能力を計測するシステムのコストが高い。
【課題を解決するための手段】
【０００４】
第１観点に係る空調能力提示システムは、少なくとも１台の室外ユニットと、少なくとも１台の室内ユニットと、室外ユニット及び室内ユニットを連絡する冷媒連絡配管と、を含む空気調和装置の能力を提示する。空調能力提示システムは、第１取得部と、計測部と、第２取得部と、能力算出部と、を備える。第１取得部は、室外ユニットの定格能力である又は定格能力に関連する情報である室外ユニット能力情報を取得する。計測部は、室外ユニットの消費電力を計測する。第２取得部は、室外ユニットの周囲の空気の温度である外気温を取得する。能力算出部は、室外ユニット能力情報、消費電力、及び外気温に基づいて空気調和装置の能力の算出値を得る。
【０００５】
この構成によれば、室外ユニット能力情報、消費電力、及び外気温に基づいて空気調和能力の算出値が得られる。したがって、能力算出のために取得すべきデータの種類が少なくて済む。
【０００６】
第１観点の変形例に係る空調能力出力システムは、少なくとも１台の室外ユニットと、少なくとも１台の室内ユニットと、室外ユニット及び室内ユニットを連絡する冷媒連絡配管と、を含む空気調和装置の能力を出力する。空調能力出力システムは、第１取得部と、計測部と、第２取得部と、能力算出部と、出力部と、を備える。第１取得部は、室外ユニットの定格能力である又は定格能力に関連する情報である室外ユニット能力情報を取得する。計測部は、室外ユニットの消費電力を計測する。第２取得部は、室外ユニットの周囲の空気の温度である外気温を取得する。能力算出部は、室外ユニット能力情報、消費電力、及び外気温に基づいて空気調和装置の能力の算出値を得る。出力部は、算出された能力を出力する。
【０００７】
第２観点に係る空調能力提示システムは、第１観点に係る空調能力提示システムにおいて、能力算出部は、複数の能力算出モデルを含む。能力算出部は、室外ユニット能力情報に基づいて、複数の能力算出モデルのうちから１つの能力算出モデルを選択する。
【０００８】
この構成によれば、能力算出部は、室外ユニット能力情報に基づいて１つの能力算出モデルを選択する。したがって、室外ユニットの能力をシミュレーションするのに適切な能力算出モデルが用いられる。
【０００９】
第２観点の変形例に係る空調能力出力システムは、第１観点の変形例に係る空調能力出力システムにおいて、能力算出部が、複数の能力算出モデルを含む。能力算出部は、室外ユニット能力情報に基づいて、複数の能力算出モデルのうちから１つの能力算出モデルを選択する。選択された能力算出モデルは能力を算出する。
【００１０】
第３観点に係る空調能力提示システムは、第２観点に係る空調能力提示システムにおいて、能力算出モデルの各々が、空気調和装置の性能を表す空調機性能パラメータを有する。能力算出モデルの各々は、空調機性能パラメータと消費電力と外気温に基づいて、冷凍サイクルの蒸発圧力Ｐｅまたはそれに相当する相当温度、凝縮圧力Ｐｃまたはそれに相当する相当温度を導出し、導出した冷凍サイクルに基づいて前記算出値を算出するように構成されている。冷凍サイクルにおける冷媒の蒸発圧力またはそれに相当する相当温度、凝縮圧力またはそれに相当する相当温度の少なくとも１つが定数として決定される。
【００１１】
第４観点に係る空調能力提示システムは、第２観点に係る空調能力提示システムにおいて、能力算出モデルの各々は、消費電力及び能力の関係を表現する特性式を有する。
【００１２】
第５観点に係る空調能力提示システムは、第２観点から第４観点のいずれか１つに係る空調能力提示システムにおいて、複数の能力算出モデルは、複数の冷房用能力算出モデル及び複数の暖房用能力算出モデルを含む。
【００１３】
第５観点の変形例に係る空調能力出力システムは、第２観点の変形例に係る空調能力出力システムにおいて、複数の能力算出モデルは、複数の冷房用能力算出モデル及び複数の暖房用能力算出モデルを含む。冷房能力を算出する場合には、複数の冷房用能力算出モデルから１つのモデルが選択される。暖房能力を算出する場合には、複数の暖房用能力算出モデルから１つのモデルが選択される。
【００１４】
第６観点に係る空調能力提示システムは、第１観点から第５観点のいずれか１つに係る空調能力提示システムにおいて、補正部をさらに備える。補正部は、算出値を補正することによって補正算出値を得る。
【００１５】
この構成によれば、補正部は、算出値を補正することによって補正算出値を得る。したがって、必要とされる能力についての精度が向上する。
【００１６】
第７観点に係る空調能力提示システムは、第６観点に係る空調能力提示システムにおいて、補正部は、冷媒連絡配管における冷媒の圧力損失に関連する情報、に基づいて算出値を補正する。
【００１７】
第８観点に係る空調能力提示システムは、第６観点又は第７観点に係る空調能力提示システムにおいて、室外ユニットは室外ファンを含む。補正部は、室外ファンの定格出力に関連する情報、に基づいて算出値を補正する。
【００１８】
第９観点に係る空調能力提示システムは、第１観点から第８観点のいずれか１つに係る空調能力提示システムにおいて、第２取得部は、室外ユニットの周囲の空気の湿度である外気湿度、をさらに取得する。能力算出部は、室外ユニット能力情報、消費電力、外気温、及び外気湿度に基づいて空気調和装置の能力の算出値を得る。
【００１９】
この構成によれば、能力の算出値を得るのに、他のパラメータに加えて、外気湿度も用いられる。したがって、より精度のよい算出値が求められる。
【００２０】
第１０観点に係る空調能力提示システムは、第１観点から第９観点のいずれか１つに係る空調能力提示システムにおいて、第２取得部は、熱交換後に室外ユニットから排出される吹出空気に関する計測を行わない。
【００２１】
第１１観点に係る空調能力提示システムは、第６観点に係る空調能力提示システムにおいて、提案作成部、をさらに備える。提案作成部は、所定期間における算出値又は補正算出値の最大値に基づいて、室外ユニット及び室内ユニットの少なくとも一部に取って代わるべき新規導入ユニットの提案を作成する。
【００２２】
第１２観点に係る空調能力提示システムは、第１１観点に係る空調能力提示システムにおいて、空気調和装置は、複数の系統を含む。複数の系統の各々は、少なくとも１台の室外ユニットを含む。計測部は、複数の系統の各々について消費電力を計測する。
【００２３】
第１３観点に係る空調能力提示システムは、第１２観点に係る空調能力提示システムにおいて、操作端末、をさらに備える。計測部は、複数の系統の各々について消費電力を計測する複数の電力センサを有する。操作端末は、電力センサの識別情報を表示する。操作端末は、識別情報と系統との関連付けについての入力を受け取る。
【００２４】
第１４観点に係る空調能力提示システムは、第１２観点又は第１３観点に係る空調能力提示システムにおいて、提案作成部が、複数の系統の各々について、室外ユニット及び室内ユニットの少なくとも一部に取って代わるべき新規導入ユニットの提案を作成する。
【００２５】
第１５観点に係る方法は、少なくとも１台の室外ユニットと、少なくとも１台の室内ユニットと、を有する空気調和装置の能力を測定する方法であり、室外ユニットの定格能力である又は定格能力に関連する情報である室外ユニット能力情報を、第１取得部が得て、室外ユニットの消費電力を、計測部が計測し、室外ユニットの周囲の空気の温度である外気温を、第２取得部が取得し、室外ユニット能力情報、消費電力、及び外気温に基づいて、能力算出部が、空気調和装置の能力の算出値を出力する。
【図面の簡単な説明】
【００２６】
【図１】第１実施形態に係る空調能力提示システム１０を示す模式図である。
【図２】演算部７０を示す模式図である。
【図３】第１実施形態の変形例１Ｂに係る空調能力提示システム１０を示す模式図である。
【図４】第２実施形態に係る空調能力提示システム１０’を示す模式図である。
【図５】電力センサ６１Ａ〜Ｃの識別情報と系統の関連付けの作業における操作端末６３の画面である。
【図６】能力算出モデルの構成例１を説明する模式図である。
【図７】能力算出モデルの構成例２を説明する模式図である。
【図８】能力算出モデルの構成例３を説明する模式図である。
【発明を実施するための形態】
【００２７】
＜第１実施形態＞
（１）全体構成
図１は、空調能力提示システム１０の全体構成を示す。空調能力提示システム１０は、空気調和装置２０、電力センサ６１、温度センサ６２、操作端末６３、ネットワークＮ、サーバ１００、を有する。
【００２８】
（２）詳細構成
（２−１）空気調和装置２０
空気調和装置２０は、複数の室内ユニット２１〜２４を有する、マルチタイプの空気調和装置である。
【００２９】
空気調和装置２０は、室内ユニット２１〜２４、室外ユニット４０、冷媒連絡配管３１、３２を有する。
【００３０】
（２−１−１）室内ユニット２１〜２４
室内ユニット２１〜２４は、建物Ｂの内部に設置される。室内ユニット２１〜２４は、冷風又は温風をユーザに提供することによって、ユーザのいる環境の温度を調節する。室内ユニット２１〜２４には、室内ユニット電源線３３が接続されている。室内ユニット電源線３３は、商用電源５２から電力を室内ユニット２１〜２４へ伝達する。
【００３１】
（２−１−２）室外ユニット４０
室外ユニット４０は、建物Ｂの外部に設置される。室外ユニット４０は、熱源である外気から、冷熱又は温熱を取得する。室外ユニット４０は、室外ユニット電源線４１を有する。室外ユニット電源線４１は、商用電源５１から電力を室外ユニット４０へ伝達する。室外ユニット４０は、室外熱交換器４２、及び室外ファン４３を有する。
【００３２】
（２−１−３）冷媒連絡配管３１、３２
冷媒連絡配管３１、３２は、室内ユニット２１〜２４と室外ユニット４０の間で冷媒を移動させる。冷媒連絡配管３１、３２は、室内ユニット２１〜２４及び室外ユニット４０と共に冷媒回路を形成する。
【００３３】
（２−２）電力センサ６１
電力センサ６１は、空気調和装置２０の室外ユニット４０の消費電力の測定値を取得する。電力センサ６１は、室外ユニット電源線４１に取り付けられる。電力センサ６１は、無線通信によってネットワークＮに接続し、消費電力データを送信することができる。
【００３４】
（２−３）温度センサ６２
温度センサ６２は、外気温の測定値を取得する。温度センサ６２は、例えば室外ユニット４０の近傍に取り付けられる。この場合、外気温は、室外ユニット４０の周囲の空気の温度である。温度センサ６２は、無線通信によってネットワークＮに接続し、外気温データを送信することができる。
【００３５】
なお、温度センサ６２は、室外熱交換器４２の熱交換後に室外ユニット４０から排出される吹出空気に関する計測を行わない。
【００３６】
（２−４）操作端末６３
操作端末６３は、空気調和装置２０の作業員等によって操作される。作業員は、室外ユニット能力情報を操作端末６３に入力する。室外ユニット能力情報は、例えば室外ユニット４０の定格能力である。あるいは、室外ユニット能力情報は、室外ユニット４０の定格能力以外であって、当該定格能力に関連する情報であってもよい。操作端末６３は、無線通信によってネットワークＮに接続し、室外ユニット能力情報を送信することができる。
【００３７】
また、作業員は、冷媒連絡配管３１、３２における冷媒の圧力損失に関連する情報を操作端末６３に入力する。圧力損失に関連する情報とは、例えば以下の量である。
【００３８】
−  室外ユニット４０から最も遠い室内ユニット２４と、室外ユニット４０とを接続する冷媒連絡配管３１、３２の長さ。
【００３９】
−  室外ユニット４０と室内ユニット２１〜２４との高低差。
【００４０】
操作端末６３は、ネットワークＮを経由して、圧力損失に関連する情報を送信することができる。
【００４１】
また、作業員は、室外ファン４３の定格出力に関連する情報を操作端末６３に入力する。操作端末６３は、ネットワークＮを経由して、室外ファン４３の定格出力に関連する情報を送信することができる。
【００４２】
（２−５）ネットワークＮ
ネットワークＮは、ＰＳＴＮ（公衆交換電話網）、携帯電話通信網、無線ＬＡＮ、その他の公知のネットワークの集合体として構成される。
【００４３】
（２−６）サーバ１００
サーバ１００は、ネットワークＮに接続される。サーバ１００は、電力センサ６１、温度センサ６２、操作端末６３から送信されたデータを受信することができる。
【００４４】
（３）演算部７０
図２は、空調能力提示システム１０の演算を担う演算部７０の模式図である。演算部７０は、物理的にはサーバ１００に構成されている。演算部７０は、室外ユニット能力情報受信部７１、消費電力受信部７２、外気温受信部７３、能力算出部７４、補正部７５、提案作成部７６、を有する。すなわち、サーバ１００が専用のソフトウェアを実行することによって、室外ユニット能力情報受信部７１、消費電力受信部７２、外気温受信部７３、能力算出部７４、補正部７５、提案作成部７６として機能する。
【００４５】
室外ユニット能力情報受信部７１は、操作端末６３からネットワークＮ経由で室外ユニット能力情報を受信する。
【００４６】
消費電力受信部７２は、電力センサ６１からネットワークＮ経由で消費電力データを受信する。
【００４７】
外気温受信部７３は、温度センサ６２からネットワークＮ経由で外気温データを受信する。
【００４８】
能力算出部７４は、室外ユニット能力情報、消費電力、及び外気温に基づいて空気調和装置２０の能力の算出値を得る。
【００４９】
能力算出部７４は、複数の能力算出モデルＭ１〜Ｍ８を含む。能力算出部７４は、室外ユニット能力情報に基づいて、複数の能力算出モデルＭ１〜Ｍ８のうちから１つの能力算出モデルを選択する。複数の能力算出モデルＭ１〜Ｍ８は、複数の冷房用能力算出モデルＭ１〜Ｍ４及び複数の暖房用能力算出モデルＭ５〜Ｍ８を含む。
【００５０】
能力算出モデルＭ１〜Ｍ８は、例えば特性式である。これに代えて、能力算出モデルＭ１〜Ｍ８は、テーブル、又は学習済モデル、その他であってもよい。
【００５１】
補正部７５は、能力算出部７４が算出した算出値を補正することによって、補正算出値を得る。補正部７５はネットワークＮから、“冷媒連絡配管３１、３２における冷媒の圧力損失に関連する情報”及び“室外ファン４３の定格出力に関連する情報”を受信する。補正部７５は、算出値から補正算出値を得る際に、これらの情報を用いる。
【００５２】
提案作成部７６は、所定期間における算出値又は補正算出値の最大値に基づいて、室外ユニット４０及び前記室内ユニット２１〜２４の少なくとも一部に取って代わるべき新規導入ユニットの提案を作成する。
【００５３】
（４）能力算出部７４の詳細構成
能力算出部７４の構成としては、さまざまなものが考えられる。以下に、考えられる構成例について説明する。
【００５４】
（４−１）構成例１
（４−１−１）構成の詳細
図６は、構成例１に係る能力算出モデルＭ１〜Ｍ８の構成である。
【００５５】
能力算出モデルＭ１〜Ｍ８の各々は、空気調和装置２０の性能を表す空調機性能パラメータ７４２と、最終算出部７４９と、を有する。
【００５６】
空調機性能パラメータ７４３は、空気調和装置２０の圧縮機の性能に関する圧縮機性能パラメータ７５３を含んでもよい。
【００５７】
空調機性能パラメータ７４３は、空気調和装置２０の室外熱交換器４２の性能に関する室外熱交換器性能パラメータ７４４を含んでもよい。
【００５８】
空調機性能パラメータ７４３は、空気調和装置２０の室外ファン４３の性能に関する室外ファン性能パラメータ７４５を含んでもよい。
【００５９】
最終算出部７４９は、空気調和装置２０の冷房又は暖房についての能力Ｃを算出する。
【００６０】
（４−１−２）動作
（４−１−２−１）モデルの選択
室外ユニット能力情報受信部７１が出力する室外ユニット能力情報ＳＥＬに少なくとも基づいて、能力演算部７４は、複数の能力算出モデルＭ１〜Ｍ８から１つの能力算出モデルを選択する。
【００６１】
この選択において、空気調和装置２０が運転している時期又は季節などが考慮されてもよい。その結果、冷房用能力算出モデルＭ１〜Ｍ４及び暖房用能力算出モデルＭ５〜Ｍ８のいずれが選択されるべきかが決定される。
【００６２】
（４−１−２−２）測定値の入力
消費電力受信部７２が出力する消費電力データＰ、及び、外気温受信部７３が出力する外気温データＴＯは、選択された能力算出モデルに入力される。
【００６３】
（４−１−２−３）冷凍サイクル７４６のシミュレーション
能力算出モデルＭ１〜Ｍ６は、消費電力データＰと外気温データＴＯと空調機性能パラメータ７４２に基づき、冷凍サイクルにおける凝縮圧力Ｐｃまたはそれに相当する相当温度、蒸発圧力Ｐｅまたはそれに相当する相当温度を導出する。
【００６４】
冷媒の凝縮圧力Ｐｃまたはそれに相当する相当温度、蒸発圧力Ｐｅまたはそれに相当する相当温度の導出においては、冷媒の蒸発圧力Ｐｅまたはそれに相当する相当温度および凝縮圧力Ｐｃまたはそれに相当する相当温度が設定される。具体的には、設定は以下の手順で行われる。
【００６５】
［選択されたモデルが冷房用能力算出モデルＭ１〜Ｍ４である場合］
（ｉ）シミュレートされる冷凍サイクル７４６において、冷媒の蒸発圧力Ｐｅまたはそれに相当する相当温度が所定の定数に設定される。蒸発圧力Ｐｅの代わりに、蒸発温度が所定の定数に設定されてもよい。
【００６６】
（ｉｉ）冷媒の凝縮圧力Ｐｃまたはそれに相当する相当温度の導出において冷媒の凝縮圧力Ｐｃまたはそれに相当する相当温度は演算により取得される。
【００６７】
冷媒の凝縮圧力Ｐｃまたはそれに相当する相当温度を取得するための演算においては、外気熱交換量と冷媒熱交換量が計算されてもよい。ここで、「外気熱交換量」とは、室外熱交換器において外気が受け取った熱量を指す。「冷媒熱交換量」とは、室外熱交換器において冷媒が失った熱量を指す。外気熱交換量は、少なくとも外気温データＴＯに基づいて計算されるものであり、凝縮圧力Ｐｃまたはそれに相当する相当温度の関数である。冷媒熱交換量は、少なくとも消費電力データＰに基づいて計算されるものであり、凝縮圧力Ｐｃまたはそれに相当する相当温度の関数である。凝縮圧力Ｐｃまたはそれに相当する相当温度を変数として、繰り返し計算により外気熱交換量と冷媒熱交換量が一致する凝縮圧力Ｐｃまたはそれに相当する相当温度が取得される。
【００６８】
［選択されたモデルが暖房用能力算出モデルＭ５〜Ｍ８である場合］
（ｉ）冷媒の蒸発圧力Ｐｅまたはそれに相当する相当温度の導出において、冷媒の凝縮圧力Ｐｃまたはそれに相当する相当温度が所定の定数に設定される。
【００６９】
（ｉｉ）冷媒の蒸発圧力Ｐｅまたはそれに相当する相当温度の導出において、冷媒の蒸発圧力Ｐｅまたはそれに相当する相当温度は演算により取得される。
【００７０】
演算の手順は、冷房用能力算出モデルＭ１〜Ｍ４の場合と同様に、外気熱交換量と冷媒熱交換量の計算により行われる。ただし、暖房の場合は、外気熱交換量は、室外熱交換器において外気が失った熱量を指し、冷媒熱交換量は、室外熱交換器において冷媒が受け取った熱量を指す。
【００７１】
［すべての能力算出モデルＭ１〜Ｍ８について］
過冷却度及び過熱度は所定の定数であると仮定してもよい。
【００７２】
（４−１−２−４）中間計算値の取得
選択された能力算出モデルが、設定した冷媒の蒸発圧力Ｐｅまたはそれに相当する相当温度、または、凝縮圧力Ｐｃまたはそれに相当する相当温度、および、導出した冷媒の凝縮圧力Ｐｃまたはそれに相当する相当温度、蒸発圧力Ｐｅまたはそれに相当する相当温度、を用いて空調機性能パラメータ７４２と消費電力Ｐに基づいて求められた冷媒循環量Ｇと冷凍サイクル７４６を中間計算値として得る。
【００７３】
（４−１−２−５）能力Ｃの算出
最終算出部７４９が、中間計算値に基づいて、空気調和装置２０の能力Ｃを算出する。
【００７４】
（４−２）構成例２
（４−２−１）構成の詳細
図７は、構成例２に係る能力算出モデルＭ１〜Ｍ８の構成である。
【００７５】
能力算出モデルＭ１〜Ｍ８の各々は、特性式７５１を有する。特性式は、ある空気調和装置の挙動を再現するために用いられる計算式である。
【００７６】
特性式は、消費電力データＰ及び能力Ｃの関係を表現するものであってよい。例えば、特性式は、能力Ｃを消費電力データＰの一次関数の形式で表したものであってよい。特性式には、定格消費電力ＰＮ、定格能力ＣＮ、定格能力の半値（１／２）ＣＮなどが含まれていてもよい。
【００７７】
（４−２−２）動作
（４−２−２−１）測定値の入力
消費電力受信部７２が出力する消費電力データＰ、及び、外気温受信部７３が出力する外気温データＴＯは、能力算出部７４に入力される。
【００７８】
（４−２−２−２）モデルの選択
室外ユニット能力情報ＳＥＬ、及び、外気温データＴＯに少なくとも基づいて、能力演算部７４は、複数の能力算出モデルＭ１〜Ｍ８から１つの能力算出モデルを選択する。
【００７９】
この選択において、空気調和装置２０が運転している時期又は季節などが考慮されてもよい。その結果、冷房用能力算出モデルＭ１〜Ｍ４及び暖房用能力算出モデルＭ５〜Ｍ８のいずれが選択されるべきかが決定される。
【００８０】
（４−２−２−３）能力Ｃの算出
最終算出部７４９が、消費電力データＰに基づいて、空気調和装置２０の能力Ｃを算出する。
【００８１】
（４−３）構成例３
（４−３−１）構成の詳細
図８は、構成例３に係る能力算出モデルＭ１〜Ｍ８の構成である。
【００８２】
能力算出モデルＭ１〜Ｍ８の各々は、特性式７６１を有する。特性式は、ある空気調和装置の挙動を再現するために用いられる計算式である。
【００８３】
特性式は、消費電力データＰ及び能力Ｃの関係を表現するものであってよい。例えば、特性式は、能力Ｃの定格能力ＣＮに対する比率Ｃ／ＣＮを、消費電力データＰの定格消費電力ＰＮに対する比率Ｐ／ＰＮの関数の形式で表したものであってよい。
【００８４】
（４−３−２）動作
（４−３−２−１）測定値の入力
消費電力受信部７２が出力する消費電力データＰ、及び、外気温受信部７３が出力する外気温データＴＯは、能力算出部７４に入力される。
【００８５】
（４−３−２−２）モデルの選択
室外ユニット能力情報ＳＥＬ、及び、外気温データＴＯに少なくとも基づいて、能力演算部７４は、複数の能力算出モデルＭ１〜Ｍ８から１つの能力算出モデルを選択する。
【００８６】
この選択において、空気調和装置２０が運転している時期又は季節などが考慮されてもよい。その結果、冷房用能力算出モデルＭ１〜Ｍ４及び暖房用能力算出モデルＭ５〜Ｍ８のいずれが選択されるべきかが決定される。
【００８７】
（４−３−２−３）能力Ｃの算出
最終算出部７４９が、消費電力データＰに基づいて、空気調和装置２０の能力Ｃを算出する。
【００８８】
（４−４）構成例４
前述したとおり、構成例１〜３の構成において、能力算出モデルＭ１〜Ｍ８は演算を行うのではなく、複数次元のテーブルの形式で入力及び出力の関係式を有していてもよい。
【００８９】
（４−５）具体例
（４−５−１）
能力算出モデルＭ１〜Ｍ８の各々は、
空気調和装置の性能を表す空調機性能パラメータ７４２を有し、
能力算出モデルＭ１〜Ｍ８の各々は、消費電力データＰおよび外気温データＴＯと空調機性能パラメータ７４２に基づいて凝縮圧力またはそれに相当する相当温度、または蒸発圧力またはそれに相当する相当温度を導出するとともに、導出した前記凝縮圧力またはそれに相当する相当温度、前記蒸発圧力またはそれに相当する相当温度に基づいて前記算出値を算出するように構成されており、
凝縮圧力またはそれに相当する相当温度、または、蒸発圧力またはそれに相当する相当温度、の導出における冷媒の蒸発圧力Ｐｅまたはそれに相当する相当温度、凝縮圧力Ｐｃまたはそれに相当する相当温度、の少なくとも１つが定数として決定される。
【００９０】
この構成の効果としては、消費電力データＰ及び外気温データＴＯの２種類という少ない種類のデータだけを、センサを用いて測定すればよい点が挙げられる。
【００９１】
（４−５−２）
空気調和装置２０は、圧縮機及び室外熱交換器４２を有し、
空調機性能パラメータ７４１は、
圧縮機の性能に関する圧縮機性能パラメータ７５３、及び、
室外熱交換器４２の性能に関する室外熱交換器性能パラメータ７５４、
の少なくとも一方を有する。
【００９２】
この構成の効果としては、室外ユニット４０に搭載される圧縮機又は室外熱交換器４２の挙動を能力Ｃの算出に反映させることができるので、能力Ｃの計算精度が向上する点が挙げられる。
【００９３】
（４−５−３）
能力算出モデルＭ１〜Ｍ８の各々は、
消費電力Ｐ及び前記能力Ｃの関係を表現する特性式７５１又は特性式７６１、
を有する。
【００９４】
この構成の効果としては、能力算出モデルＭ１〜Ｍ８の構成が比較的簡単である点が挙げられる。
【００９５】
（５）能力提示の手順
まず、作業員が既存の設備である空気調和装置２０を確認する。作業員は建物Ｂに到着し、室内ユニット２１〜２４、室外ユニット４０、冷媒連絡配管３１〜３２等を確認する。
【００９６】
次に、作業員は電力センサ６１を室外ユニット電源線４１に取り付ける。
【００９７】
次に、作業員は温度センサ６２を室外ユニット４０の近傍に取り付ける。
【００９８】
次に、作業員は操作端末６３を用いて、以下の値を入力する。
【００９９】
−  室外ユニット能力情報（室外ユニットの定格能力など）。
【０１００】
−  冷媒連絡配管３１、３２における冷媒の圧力損失に関連する情報。
【０１０１】
−  室外ファン４３の定格出力に関連する情報。
【０１０２】
次に、作業員は計測を開始する。計測期間（例えば１年）にわたり、電力センサ６１及び温度センサ６２は測定値データをサーバ１００へ送信し続ける。
【０１０３】
次に、データの分析が行われる。まず、演算部７０の能力算出部７４は、室外ユニット能力情報に基づいて、複数の能力算出モデルＭ１〜Ｍ８のうち１つ（例えば能力算出モデルＭ３）を選択する。次いで、選択された能力算出モデルＭ３に、計測期間にわたり取得された消費電力及び外気温のデータが入力される。能力算出モデルＭ３は、計測期間にわたり必要とされた空気調和装置２０の能力のデータを出力する。こうして、能力算出部７４は、必要とされた能力の算出値を出力する。
【０１０４】
次に、能力の算出値が補正される。補正部７５は、能力の算出値を、以下の情報に基づいて補正し、補正算出値を出力する。
【０１０５】
−  冷媒連絡配管３１、３２における冷媒の圧力損失に関連する情報。
【０１０６】
−  室外ファン４３の定格出力に関連する情報。
こうして、補正部７５は能力の補正算出値を提示する。
【０１０７】
次に、空気調和装置２０の更新についての提案がなされる。提案作成部７６は、能力の算出値又は補正算出値の最大値に基づいて、室内ユニット２１〜２４及び室外ユニット４０の少なくとも一部に取って代わるべき新規導入ユニットの提案を作成する。
【０１０８】
（６）特徴
（６−１）
室外ユニット能力情報、消費電力、及び外気温に基づいて空気調和能力の算出値が得られる。したがって、能力算出のために取得すべきデータの種類が少なくて済む。すなわち、能力を計測する作業員が要する労力が小さくなる。とくに、温度センサ６２は、熱交換後に室外ユニット４０から排出される吹出空気に関する計測を行わない。さらに、能力を計測するためのシステムが多くのセンサを有するので、能力を計測するシステムのコストが安い。
【０１０９】
（６−２）
能力算出部７４は、室外ユニット能力情報に基づいて１つの能力算出モデルを選択する。したがって、室外ユニットの能力をシミュレーションするのに適切な能力算出モデルが用いられる。
【０１１０】
（６−３）
補正部７５は、冷媒連絡配管における冷媒の圧力損失に関連する情報、及び、室外ファンの定格出力に関連する情報に基づいて、算出値を補正することによって補正算出値を得る。したがって、必要とされる能力についての精度が向上する。
【０１１１】
（７）変形例
（７−１）変形例１Ａ
上述の実施形態では、温度センサ６２及び外気温受信部７３は、外気温を取得する。これに代えて、温湿度センサ６２’及び外気温湿度受信部７３’を設け、外気温及び外気湿度を取得するようにしてもよい。この場合、能力算出部７４は、室外ユニット能力情報、消費電力、外気温、及び外気湿度に基づいて空気調和装置２０の能力の算出値を得る。
【０１１２】
この構成によれば、能力の算出値を得るのに、他のパラメータに加えて、外気湿度も用いられる。したがって、より精度のよい算出値が求められる。
【０１１３】
（７−２）変形例１Ｂ
上述の実施形態では、外気温のデータは温度センサ６２によって取得された。これに代えて、図３に示すように、外気温のデータを、ネットワークＮに接続された気象データバンク２００から取得するようにしてもよい。
【０１１４】
＜第２実施形態＞
（１）全体構成
図４は、空調能力提示システム１０’の全体構成を示す。空調能力提示システム１０’は、複数系統の空気調和装置を有する点において、第１実施形態と異なる。空調能力提示システム１０’は、空気調和装置の第１系統２０Ａ、第２系統２０Ｂ、第３系統２０Ｃを有する。さらに、空調能力提示システム１０’は、電力センサ６１Ａ〜Ｃ、温度センサ６２、操作端末６３、ネットワークＮ、サーバ１００、を有する。
【０１１５】
（２）詳細構成
（２−１）空気調和装置
空気調和装置は、第１系統２０Ａ、第２系統２０Ｂ、第３系統２０Ｃを有する。第１系統２０Ａは、室内ユニット２１Ａ〜２４Ａ、室外ユニット４０Ａ、冷媒連絡配管３１Ａ、３２Ａを有する。第２系統２０Ｂは、室内ユニット２１Ｂ〜２４Ｂ、室外ユニット４０Ｂ、冷媒連絡配管３１Ｂ、３２Ｂを有する。第３系統２０Ｃは、室内ユニット２１Ｃ〜２４Ｃ、室外ユニット４０Ｃ、冷媒連絡配管３１Ｃ、３２Ｃを有する。
【０１１６】
（２−２）電力センサ６１Ａ〜Ｃ
電力センサ６１Ａは、第１系統２０Ａに属する室外ユニット４０Ａの消費電力を計測する。電力センサ６１Ｂは、第２系統２０Ｂに属する室外ユニット４０Ｂの消費電力を計測する。電力センサ６１Ｃは、第３系統２０Ｃに属する室外ユニット４０Ｃの消費電力を計測する。
【０１１７】
電力センサ６１Ａ〜Ｃのそれぞれには、識別情報が割り振られている。
【０１１８】
（２−３）温度センサ６２
温度センサ６２は、外気温を取得する。温度センサ６２は、例えば室外ユニット４０Ａの近傍に取り付けられる。
【０１１９】
（２−４）操作端末６３
操作端末６３は、第１実施形態で説明した処理を行う。
【０１２０】
加えて、操作端末６３は、電力センサ６１Ａ〜Ｃと、第１系統２０Ａ〜第３系統２０Ｃの関連付けの入力を受け付ける。操作端末６３は、図５に示すように、電力センサ６１Ａ〜Ｃの識別情報を表示するとともに、識別情報と系統の関連付けについて作業員からの入力を受け付ける。
【０１２１】
（２−５）その他
その他の要素は、第１実施形態と同様である。
【０１２２】
（３）能力提示
能力算出部７４は、必要とされた能力の算出値を出力する。必要に応じて、能力の算出値が補正される。こうして、補正部７５は系統ごとに必要であった能力の補正算出値を提示する。
【０１２３】
次に、空気調和装置２０の更新についての提案がなされる。提案作成部７６は、能力の算出値又は補正算出値の最大値に基づいて、複数の系統について、室外ユニット及び室内ユニットの少なくとも一部に取って代わるべき新規導入ユニットの提案を作成する。
【０１２４】
（４）特徴
（４−１）
系統ごとに消費電力が計算される。しかしながら、複数の系統において、温度センサ６２は共用される。したがって、設置すべき温度センサ６２の数が少ない。
【０１２５】
（４−２）
操作端末６３が、電力センサ６１Ａ〜Ｃの識別情報と系統との関連付けについての入力を受け取る。したがって、電力センサ６１Ａ〜Ｃによる測定を行うための初期設定が容易である。
【０１２６】
（４−３）
演算部７０の提案作成部７６が、複数の系統の各々について、室外ユニット及び前記室内ユニットの少なくとも一部に取って代わるべき前記新規導入ユニットの提案を作成する。
【０１２７】
（５）変形例
第１実施形態の各変形例を第２実施形態に適用してもよい。
【０１２８】
＜むすび＞
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１２９】
１０、１０'  ：空調能力提示システム
２０    ：空気調和装置
２０Ａ  ：第１系統
２０Ｂ  ：第２系統
２０Ｃ  ：第３系統
２１〜２４、２１Ａ〜２４Ａ、２１Ｂ〜２４Ｂ、２１Ｃ〜２４Ｃ：室内ユニット
３１〜３２、３１Ａ〜３２Ａ、３１Ｂ〜３２Ｂ、３２Ｃ〜３２Ｃ：冷媒連絡配管
４０、４０Ａ〜Ｃ  ：室外ユニット
４３    ：室外ファン
６１、６１Ａ〜６１Ｃ  ：電力センサ
６２    ：温度センサ
６２'  ：温湿度センサ
６３    ：操作端末
７０    ：演算部
７１    ：室外ユニット能力情報受信部
７２    ：消費電力受信部
７３    ：外気温受信部
７３'  ：外気温湿度受信部
７４    ：能力算出部
７５    ：補正部
７６    ：提案作成部
１００  ：サーバ
Ｍ１〜Ｍ８    ：能力算出モデル
Ｎ      ：ネットワーク
【先行技術文献】
【特許文献】
【０１３０】
【特許文献１】特開２０１０−０３８４８７号公報
【図１】
2020165649.tif 000003
【図２】
2020165649.tif 000004
【図３】
2020165649.tif 000005
【図４】
2020165649.tif 000006
【図５】
2020165649.tif 000007
【図６】
2020165649.tif 000008
【図７】
2020165649.tif 000009
【図８】
2020165649.tif 000010
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
少なくとも１台の室外ユニット（４０）と、少なくとも１台の室内ユニット（２１〜２４）と、前記室外ユニット及び前記室内ユニットを連絡する冷媒連絡配管（３１、３２）と、を含む空気調和装置の能力を提示する、空調能力提示システムであって、
前記室外ユニットの定格能力である又は前記定格能力に関連する情報である室外ユニット能力情報を取得する第１取得部（６３、７１）と、
前記室外ユニットの消費電力を計測する計測部（６１、７２）と、
前記室外ユニットの周囲の空気の温度である外気温を取得する第２取得部（６２、７３）と、
前記室外ユニット能力情報、前記消費電力、及び前記外気温に基づいて前記空気調和装置の前記能力の算出値を得る能力算出部（７４）と、
を備え、
前記能力算出部は、複数の能力算出モデル（Ｍ１〜Ｍ８）を含み、
前記能力算出部は、前記室外ユニット能力情報に基づいて、前記複数の能力算出モデルのうちから１つの能力算出モデルを選択し、
前記能力算出モデルの各々は、前記空気調和装置の性能を表す空調機性能パラメータ（７４２）を有し、
前記能力算出モデルの各々は、前記消費電力、前記外気温、及び前記空調機性能パラメータに基づいて、冷凍サイクル（７４６）の凝縮圧力（Ｐｃ）またはそれに相当する相当温度、または、蒸発圧力（Ｐｅ）またはそれに相当する相当温度、を導出するとともに、導出した前記凝縮圧力（Ｐｃ）またはそれに相当する相当温度、または、前記蒸発圧力（Ｐｅ）またはそれに相当する相当温度、に基づいて前記算出値を算出するように構成されており、
前記冷凍サイクルにおける前記冷媒の蒸発圧力（Ｐｅ）またはそれに相当する相当温度、凝縮圧力（Ｐｃ）またはそれに相当する相当温度の少なくとも１つが定数として決定される、
空調能力提示システム。
【請求項２】
少なくとも１台の室外ユニット（４０）と、少なくとも１台の室内ユニット（２１〜２４）と、前記室外ユニット及び前記室内ユニットを連絡する冷媒連絡配管（３１、３２）と、を含む空気調和装置の能力を提示する、空調能力提示システムであって、
前記室外ユニットの定格能力である又は前記定格能力に関連する情報である室外ユニット能力情報を取得する第１取得部（６３、７１）と、
前記室外ユニットの消費電力を計測する計測部（６１、７２）と、
前記室外ユニットの周囲の空気の温度である外気温を取得する第２取得部（６２、７３）と、
前記室外ユニット能力情報、前記消費電力、及び前記外気温に基づいて前記空気調和装置の前記能力の算出値を得る能力算出部（７４）と、
を備え、
前記能力算出部は、複数の能力算出モデル（Ｍ１〜Ｍ８）を含み、
前記能力算出部は、前記室外ユニット能力情報に基づいて、前記複数の能力算出モデルのうちから１つの能力算出モデルを選択し、
前記複数の能力算出モデルは、複数の冷房用能力算出モデル（Ｍ１〜Ｍ４）及び複数の暖房用能力算出モデル（Ｍ５〜Ｍ８）を含む、
空調能力提示システム。
【請求項３】
前記能力算出モデルの各々は、
前記消費電力（Ｐ）及び前記能力（Ｃ）の関係を表現する特性式（７５１、７６１）
を有する、
請求項１又は請求項２に記載の空調能力提示システム。
【請求項４】
少なくとも１台の室外ユニット（４０）と、少なくとも１台の室内ユニット（２１〜２４）と、前記室外ユニット及び前記室内ユニットを連絡する冷媒連絡配管（３１、３２）と、を含む空気調和装置の能力を提示する、空調能力提示システムであって、
前記室外ユニットの定格能力である又は前記定格能力に関連する情報である室外ユニット能力情報を取得する第１取得部（６３、７１）と、
前記室外ユニットの消費電力を計測する計測部（６１、７２）と、
前記室外ユニットの周囲の空気の温度である外気温を取得する第２取得部（６２、７３）と、
前記室外ユニット能力情報、前記消費電力、及び前記外気温に基づいて前記空気調和装置の前記能力の算出値を得る能力算出部（７４）と、
を備え、
前記算出値を補正することによって補正算出値を得る補正部（７５）、
をさらに備える、
空調能力提示システム。
【請求項５】
前記補正部は、前記冷媒連絡配管における冷媒の圧力損失に関連する情報、に基づいて前記算出値を補正する、
請求項４に記載の空調能力提示システム。
【請求項６】
前記室外ユニットは室外ファン（４３）を含み、
前記補正部は、前記室外ファンの定格出力に関連する情報、に基づいて前記算出値を補正する、
請求項４又は請求項５に記載の空調能力提示システム。
【請求項７】
所定期間における前記算出値又は前記補正算出値の最大値に基づいて、前記室外ユニット及び前記室内ユニットの少なくとも一部に取って代わるべき新規導入ユニットの提案を作成する、提案作成部（７６）、
をさらに備える、
請求項４から６のいずれか１項に記載の空調能力提示システム。
【請求項８】
前記空気調和装置は、複数の系統（２０Ａ、２０Ｂ、２０Ｃ）を含み、
前記複数の系統の各々は、少なくとも１台の室外ユニット（４０Ａ、４０Ｂ、４０Ｃ）を含み、
前記計測部は、前記複数の系統の各々について前記消費電力を計測する、
請求項７に記載の空調能力提示システム。
【請求項９】
操作端末（６３）、
をさらに備え、
前記計測部は、前記複数の系統の各々について前記消費電力を計測する複数の電力センサ（６１Ａ、６１Ｂ、６１Ｃ）を有し、
前記操作端末は、前記電力センサの識別情報を表示し、
前記操作端末は、前記識別情報と前記系統との関連付けについての入力を受け取る、
請求項８に記載の空調能力提示システム。
【請求項１０】
前記提案作成部は、前記複数の系統の各々について、前記室外ユニット及び前記室内ユニットの少なくとも一部に取って代わるべき前記新規導入ユニットの提案を作成する、
請求項８又は請求項９に記載の空調能力提示システム。
【請求項１１】
少なくとも１台の室外ユニット（４０）と、少なくとも１台の室内ユニット（２１〜２４）と、前記室外ユニット及び前記室内ユニットを連絡する冷媒連絡配管（３１、３２）と、を含む空気調和装置の能力を提示する、空調能力提示システムであって、
前記室外ユニットの定格能力である又は前記定格能力に関連する情報である室外ユニット能力情報を取得する第１取得部（６３、７１）と、
前記室外ユニットの消費電力を計測する計測部（６１、７２）と、
前記室外ユニットの周囲の空気の温度である外気温を取得する第２取得部（６２、７３）と、
前記室外ユニット能力情報、前記消費電力、及び前記外気温に基づいて前記空気調和装置の前記能力の算出値を得る能力算出部（７４）と、
を備え、
前記第２取得部は、前記室外ユニットの周囲の前記空気の湿度である外気湿度、をさらに取得し、
前記能力算出部は、前記室外ユニット能力情報、前記消費電力、前記外気温、及び前記外気湿度に基づいて前記空気調和装置の前記能力の前記算出値を得る、
空調能力提示システム。
【請求項１２】
前記第２取得部は、熱交換後に前記室外ユニットから排出される吹出空気に関する計測を行わない、
請求項１から１１のいずれか１項に記載の空調能力提示システム。
【手続補正２】
【補正対象書類名】明細書
【補正対象項目名】００５６
【補正方法】変更
【補正の内容】
【００５６】
空調機性能パラメータ７４２は、空気調和装置２０の圧縮機の性能に関する圧縮機性能パラメータ７４３を含んでもよい。
【手続補正３】
【補正対象書類名】明細書
【補正対象項目名】００５７
【補正方法】変更
【補正の内容】
【００５７】
空調機性能パラメータ７４２は、空気調和装置２０の室外熱交換器４２の性能に関する室外熱交換器性能パラメータ７４４を含んでもよい。
【手続補正４】
【補正対象書類名】明細書
【補正対象項目名】００５８
【補正方法】変更
【補正の内容】
【００５８】
空調機性能パラメータ７４２は、空気調和装置２０の室外ファン４３の性能に関する室外ファン性能パラメータ７４５を含んでもよい。